(57)【要約】【課題】所定規格のコネクターを有するハードディスクと、該ハードディスクの該コネクターに接続される第一コネクターと該第一コネクターとは規格が異なる第二コネクターとを有する接続変換基板と、を電子機器に固定するための固定構造において、電子機器からの振動が接続変換基板を介してハードディスクに伝達されるのを回避しつつ、ハードディスク及び接続変換基板のコネクター同士の接続が簡単に外れるのを防止する。【解決手段】上記固定構造は、電子機器に固定される一つの保持部材４０を備えている。ハードディスク２０は、第一防振部材５１を介して保持部材４０に固定され、接続変換基板３０は、第二防振部材５３を介して保持部材４０に固定されている。【選択図】図６
2020140745.tif 000002
【特許請求の範囲】
【請求項１】
所定規格のコネクターを有するハードディスクと、該ハードディスクの該コネクターに接続される第一コネクターと該第一コネクターとは規格が異なる第二コネクターとを有する接続変換基板と、を電子機器に固定するための固定構造であって、
上記電子機器に固定される一つの保持部材を備え、
上記ハードディスクは、第一防振部材を介して上記保持部材に固定され、
上記接続変換基板は、第二防振部材を介して上記保持部材に固定されている、固定構造。
【請求項２】
請求項１記載の固定構造において、
上記ハードディスクは、互いに対向する一対の第一端面と互いに対向する一対の第二端面とを有し、
上記所定規格のコネクターは、上記ハードディスクの上記一対の第一端面のうちの一方側に設けられ、
上記接続変換基板は、上記ハードディスクの上記一方側に隣接して配置され、
上記保持部材は、上記ハードディスクの厚さ方向の一側面に対面するベース板部と、該ベース板部から起立して上記ハードディスクの互いに対向する上記一対の第二端面に対面する一対の起立板とを有していて、
上記一対の起立板には、厚さ方向に貫通する第一取付孔が形成され、
上記接続変換基板には、厚さ方向に貫通する第二取付孔が形成され、
上記各起立板の上記第一取付孔を貫通して上記ハードディスクに連結される第一ヘッダーピンと、
上記接続変換基板の上記第二取付孔を貫通して上記ベース板部に連結される第二ヘッダーピンとを備え、
上記第一防振部材は、上記第一ヘッダーピンと上記第一取付孔の内周面との間に装着された状態で、上記各起立板と上記ハードディスクの各第二端面との間に介在するように形成され、
上記第二防振部材は、上記第二ヘッダーピンと上記第二取付孔の内周面との間に装着された状態で、上記接続変換基板と上記ベース板部との間に介在するように形成されている、固定構造。
【請求項３】
請求項２記載の固定構造において、
上記保持部材のベース板部は、上記接続変換基板側に突出する突出座部を有しており、
上記第二ヘッダーピンは、上記接続変換基板の上記第二取付孔を貫通して上記突出座部に連結され、
上記第二防振部材は、上記接続変換基板と上記突出座部との間に介在するように形成されている、固定構造。
【請求項４】
請求項１乃至３のいずれか一項に記載の固定構造において、       
上記接続変換基板の上記第一コネクターはＵＳＢコネクターであり、上記第二コネクターはＳＡＴＡコネクターである、固定構造。
【請求項５】
請求項１乃至４のいずれか一項に記載の固定構造を備えた画像形成装置であって、
上記電子機器は画像形成装置本体である、画像形成装置。
【発明の詳細な説明】
【技術分野】
【０００１】
本発明は、ハードディスクの固定構造、及び該固定構造を備えた画像形成装置に関する。
【背景技術】
【０００２】
従来より、偏平矩形状のハードディスクの互いに対向する端面を板状のブラケットを介して電子機器に固定する固定構造は知られている（例えば、特許文献１参照）。このハードディスクは、各支持ブラケットに対して取付けネジを用いて固定されている。取付けネジと支持ブラケットとの間には緩衝用ゴム（防振部材）が介設されている。
【０００３】
この種のハードディスクとしてＳＡＴＡ規格のコネクターを備えたものが知られている（例えば、特許文献２参照）。このハードディスクをＵＳＢ規格のコネクターを有する電子機器に搭載する際には、ＵＳＢ−ＳＡＴＡ変換基板が使用される。ＵＳＢ−ＳＡＴＡ変換基板は、ＵＳＢコネクターとＳＡＴＡコネクターとを一つの基板に実装して構成されている。
【０００４】
ハードディスクにＵＳＢ−ＳＡＴＡ変換基板を装着する場合、通常はＵＳＢ−ＳＡＴＡ変換基板を、電子機器に固定せずに、ハードディスクのＳＡＴＡコネクターによって電子機器から浮いた状態で保持するようにしている。
【先行技術文献】
【特許文献】
【０００５】
【特許文献１】特開２００７−６６３３８号公報
【特許文献２】特開２０１３−４５４５２号公報
【発明の概要】
【発明が解決しようとする課題】
【０００６】
しかしながら、従来のようにＵＳＢ−ＳＡＴＡ変換基板（接続変換基板）をハードディスクのＳＡＴＡコネクターのみで保持する構造では、電子機器からの振動や落下等によって、ＳＡＴＡコネクター同士の接続が外れてしまうという問題がある。
【０００７】
この問題を回避するために、電子機器の部材を接続変換基板の座面として利用することが考えられる。
しかしこの場合、電子機器からの振動が接続変換基板を介してハードディスクに伝わり、ハードディスクの破損やハードディスクの転送レートの低下等の問題が生じる。
【０００８】
本発明は、かかる点に鑑みてなされたものであり、その目的とするところは、ハードディスクと、該ハードディスクに接続される接続変換基板とを電子機器に固定するための固定構造において、電子機器からの振動が接続変換基板を介してハードディスクに伝達されるのを回避しつつ、ハードディスク及び接続変換基板のコネクター同士の接続が簡単に外れるのを防止することにある。
【課題を解決するための手段】
【０００９】
本発明に係る固定構造は、所定規格のコネクターを有するハードディスクと、該ハードディスクの該コネクターに接続される第一コネクターと該第一コネクターとは規格が異なる第二コネクターとを有する接続変換基板と、を電子機器に固定するための固定構造である。
【００１０】
そして、この固定構造は、上記電子機器に固定される一つの保持部材を備え、上記ハードディスクは、第一防振部材を介して上記保持部材に固定され、上記接続変換基板は、第二防振部材を介して上記保持部材に固定されている。
【発明の効果】
【００１１】
本発明によれば、電子機器からの振動が接続変換基板を介してハードディスクに伝達されるのを回避しつつ、ハードディスクと接続変換基板とのコネクター同士の接続が簡単に外れるのを防止することができる。
【図面の簡単な説明】
【００１２】
【図１】図１は、実施形態におけるハードディスク及び接続変換基板の固定構造を含む画像形成装置の外観斜視図である。
【図２】図２は、画像形成装置の制御構成を示すブロック図である。
【図３】図３は、画像形成装置本体の外装カバーを取外した状態を示す拡大斜視図である。
【図４】図４は、ＨＤＤアセンブリを示す斜視図である。
【図５】図５は、図３においてＨＤＤアセンブリを取外した状態を示す斜視図である。
【図６】図６は、ＨＤＤアセンブリをハードディスク側から見た斜視図である。
【図７】図７は、ハードディスクの単品斜視図である。
【図８】図８は、接続変換基板の単品斜視図である。
【図９】図９は、保持部材の単品斜視図である。
【図１０】図１０は、図６のX−X線断面図である。
【図１１】図１１は、第一防振部材の外観斜視図である。
【図１２】図１２は、図６のXII−XII線断面図である。
【発明を実施するための形態】
【００１３】
以下、本発明の実施形態を図面に基づいて詳細に説明する。尚、本発明は、以下の実施形態に限定されるものではない。
【００１４】
［全体構成］
図１は、実施形態１における画像形成装置１を示している。この画像形成装置１は、印刷機能の他にスキャナ機能とファックス機能とコピー機能とを有する複合型の画像形成装置（複合機）である。尚、以下の説明において、前側、後側は、画像形成装置１の前側、後側を意味し、左側、右側は、画像形成装置１を前側から見たときの左側、右側を意味するものとする。
【００１５】
画像形成装置１は、画像形成装置本体２とその上側に配置された画像読取部３とを備えている。画像形成装置本体２は、その上下方向の中間部に配置された印刷部４と、印刷部４の下側に配置された複数の給紙カセット５とを有している。各給紙カセット５内にはそれぞれサイズが異なる用紙が収容されている。印刷部４は、給紙カセット５より供給される用紙に対して所定の画像データに基づいて印刷を行う。印刷部４における印刷方式には電子写真方式が採用されている。すなわち、印刷部４は、感光体ドラムの表面に画像データに対応するレーザー光を照射して静電潜像を形成し、この静電潜像をトナーで現像して用紙に転写する。
【００１６】
上記画像読取部３は、その上面のコンタクトガラス上に載置された原稿の画像を光学的に読み取る。画像読取部３の上面は、原稿を押さえるための原稿押さえカバー６によって開閉可能に覆われている。原稿押さえカバー６は自動原稿送り装置７と一体化されている。自動原稿送り装置７は、原稿給紙トレイ７ａにセットされた原稿を所定の搬送経路に沿って搬送して上記コンタクトガラス上に設定された画像読取り位置を通過させた後、原稿排紙トレイ７ｂに排出する。上記画像読取部３の前面部には操作パネル８が突出形成されている。操作パネル８には、テンキーやスタートキーを含む操作部９と、液晶ディスプレイからなる表示部１０とが設けられている。
【００１７】
［制御系の構成］
次に、図２を参照して画像形成装置１の制御系の構成について説明する。画像形成装置１は、装置全体の作動を制御するコントローラー１１を有している。コントローラー１１は、ＣＰＵやＲＡＭ及びＲＯＭを有するマイクロコンピューターにより構成されている。コントローラー１１は、受付部１２、上記画像読取部３、上記印刷部４、上記表示部１０、及びファックス通信部１３に接続されている。また、コントローラー１１は、接続変換基板３０を介してＨＤＤ（hard disk drive、以下、単にハードディスクという）２０に接続されている。
【００１８】
コントローラー１１は、受付部１２からの入力信号を基に、上記画像読取部３、上記印刷部４、上記表示部１０、及びファックス通信部１３の作動制御を行う。
受付部１２は、操作部９に信号線を介して接続されている。受付部１２は、操作部９からの操作信号を受付けてコントローラー１１に出力する。操作信号には、ユーザーが、印刷機能、スキャナ機能、コピー機能及びファクシミリ機能のうちいずれの機能を選択操作したかを示す信号や、ユーザーがテンキーを操作して入力した印刷枚数を示す信号等が含まれる。
【００１９】
コントローラー１１は、受付部１２からの入力信号を基に、印刷機能が設定されていると判断した場合には印刷部４を制御して所定の印刷処理を実行し、スキャナ機能が設定されていると判定した場合には画像読取部３を制御して所定の画像読取処理を実行し、コピー機能が設定されていると判断した場合には、画像読取部３及び印刷部４を制御して所定のコピー処理を実行し、ファクシミリ機能が設定されていると判断した場合にはファックス通信部１３を制御して所定のファックス通信処理を実行する。
【００２０】
ハードディスク２０は、画像読取部３にて読取った画像データや、パソコン等の外端末から画像形成装置１に送信される印刷データ等を記憶する。
【００２１】
接続変換基板３０は、規格の異なる二つのコネクター間に介在して両者を信号の授受可能に接続する。本実施形態では、接続変換基板３０は、例えばＳＡＴＡ−ＵＳＢ変換基板により構成されている。ＳＡＴＡ−ＵＳＢ変換基板は、後述するようにハードディスク２０に設けられたＳＡＴＡ規格のコネクター（以下、ＳＡＴＡコネクターという）２０ｆと、画像形成装置本体２内に設けられたＵＳＢコネクター１４との間に介在して両者を信号の授受可能に接続する。
【００２２】
［ハードディスク２０の取付け構造］
ハードディスク２０は、画像形成装置本体２の外装カバー２ａ（図１参照）の内側空間に収容されている。外装カバー２ａは、画像形成装置本体２の右側面の下端部に着脱可能に取付けられている。
【００２３】
図３は、この外装カバー２ａを取外した状態を示す側方斜視図である。ハードディスク２０と接続変換基板３０とは保持部材４０に保持されてＨＤＤアセンブリ１００を構成している。このＨＤＤアセンブリ１００は、螺子６０により矩形枠状のフレーム部材１６に固定されている。フレーム部材１６は、コントローラー基板（図示省略）を収容するシールドボックスの一部を構成している。
【００２４】
図４は、上記ＨＤＤアセンブリ１００を示す斜視図であり、図５は、図３の状態からＨＤＤアセンブリ１００を取外した状態を示す斜視図である。
【００２５】
図５に示すように、フレーム部材１６にはＨＤＤアセンブリ１００を固定するための二つの螺子孔１６ａが形成されている。フレーム部材１６の中央開口は内部カバー２ｂにより閉塞されている。内部カバー２ｂの内側空間には、コントローラー１１が実装されたコントローラー基板（図示省略）が収容されている。内部カバー２ｂの表面の前側端部には、ＵＳＢコネクター１４が取付けられている。このＵＳＢコネクター１４は、ハーネス１５を介して上記コントローラー基板に接続されている。内部カバー２ｂの前側且つ下側の隅部には、このハーネス１５の挿通筒１７を配置するための切欠部が形成されている。
【００２６】
図６は、図４に示すＨＤＤアセンブリ１００をハードディスク２０側から見た斜視図である。この図に示すように、保持部材４０は板金部材をコ字状に折り曲げた形状をしている。ハードディスク２０と接続変換基板３０とは、前後方向（図６の左右方向）にて互いに隣接して保持部材４０のコ字内側に配置されている。ハードディスク２０は、保持部材４０に対して四つの第一ヘッダーピン５０により固定されている。第一ヘッダーピン５０と保持部材４０との間には第一防振部材５１が介設されている。また、接続変換基板３０は、保持部材４０に対して二つの第二ヘッダーピン５２により固定されている。第二ヘッダーピン５２と保持部材４０との間には第二防振部材５３が介設されている。
【００２７】
ここで、保持部材４０に対するハードディスク２０及び接続変換基板３０の固定構造の詳細を説明する前に、ハードディスク２０、接続変換基板３０、及び保持部材４０の構成をそれぞれの単品図を基に説明しておく。
【００２８】
［ハードディスク２０の構成］
図７は、ハードディスク２０の単品斜視図である。ハードディスク２０は偏平矩形状に形成されている。ハードディスク２０は、長手方向にて対向する一対の第一端面２０ａと、短手方向（長手方向に直交する方向）にて対向する一対の第二端面２０ｂとを有している。ハードディスク２０における一対の第一端面２０ａのうちの一方側の端部には、ＳＡＴＡ規格のコネクター（以下、ＳＡＴＡ規格という）２０ｆが設けられている。ＳＡＴＡコネクター２０ｆは、この例では多数のピンを有する雄型コネクターとされている。ＳＡＴＡコネクター２０ｆの嵌合方向は、ハードディスク２０の長手方向に一致している。
【００２９】
ハードディスク２０の各第二端面２０ｂにはそれぞれ、二つの螺子孔２０ｃが長手方向に間隔を空けて形成されている。各螺子孔２０ｃは、ハードディスク２０を保持部材４０に固定する際に使用される。
【００３０】
［接続変換基板３０の構成］
図８は接続変換基板３０の単品斜視図である。接続変換基板３０は、矩形板状の基板本体３１を有している。基板本体３１の長手方向（図８の上下方向）の寸法は、ハードディスク２０の短手方向の寸法と略等しい。
【００３１】
基板本体３１における長手方向に延びる二つの端縁部のうちの一方にはＳＡＴＡコネクター３２（第一コネクター）が実装され、他方の端縁部にはＵＳＢコネクター３３（第二コネクター）が実装されている。ＳＡＴＡコネクター３２及びＵＳＢコネクター３３は、基板本体３１における長手方向の一方側に偏って配置されている。このＳＡＴＡコネクター３２とＵＳＢコネクター３３とは、基板本体３１に実装されて信号の授受可能に接続されている。
【００３２】
ＳＡＴＡコネクター３２は、上記ハードディスク２０のＳＡＴＡコネクター２０ｆに嵌合する。ＳＡＴＡコネクター３２は、複数のピン孔を有する雌型コネクターとされている。尚、ハードディスク２０のＳＡＴＡコネクター２０ｆと接続変換基板３０のＳＡＴＡコネクター３２との雄雌関係は逆であってもよい。
【００３３】
基板本体３１の長手方向の両側端部には取付孔３１ａ（第二取付孔）が形成されている。各取付孔３１ａの周縁部には円板状の突出座部３１ｂが僅かな段差を持って形成されている。
【００３４】
［保持部材４０の構成］
図９は、上記保持部材４０の単品斜視図である。保持部材４０は、板金部材を折り曲げて形成されている。具体的には、保持部材４０は、矩形板状のベース板部４１と、ベース板部４１における長手方向に延びる二つの端縁から起立する一対の起立板４２とを有している。一対の起立板４２は、ベース板部４１の短手方向において対向している。
【００３５】
各起立板４２にはそれぞれ、厚さ方向に貫通する一対の取付孔４２ａ（第一取付孔）がベース板長手方向に間隔を空けて形成されている。
【００３６】
また、各起立板４２の先端縁にはそれぞれ、ベース板短手方向の外側に突出する固定板４３が接続されている。各固定板４３には、保持部材４０を上記フレーム部材１６に固定するための取付孔４３ａが形成されている。固定板４３は、該取付孔４３ａを貫通する螺子６０（図３参照）によってフレーム部材１６に固定される。
【００３７】
上記ベース板部４１の長手方向の一側端縁には、規制板部４５が該ベース板部４１に対して垂直になるように接続されている。規制板部４５は、組立て作業時にハードディスク２０の位置決めを容易化するためのものであり、組立状態では振動伝達を遮断する観点からハードディスク２０に接触しないように形成されている。
【００３８】
ベース板部４１の規制板部４５側とは反対側の端部には、一対の突出座部４１ａがプレス加工により形成されている。一対の突出座部４１ａは、ベース板短手方向に間隔を空けて配置されている。各突出座部４１ａは、各起立板４２の内側面の近傍に配置されている。各突出座部４１ａは、ベース板短手方向から見て台形状に形成されている。具体的には、各突出座部４１ａは、平坦部４１ｂと該平坦部４１ｂの両側端縁に接続された傾斜部４１ｃとを有している。平坦部４１ｂには厚さ方向に貫通する螺子孔４１ｄが形成されている。
【００３９】
［保持部材４０に対するハードディスク２０の固定構造］
次に、図６及び図１０〜図１１を参照しながら、保持部材４０に対するハードディスク２０の固定構造を説明する。
図６に示すように、ハードディスク２０は、四つの第一ヘッダーピン５０によって保持部材４０に固定されている。ハードディスク２０を保持部材４０に固定した状態では、ハードディスク２０の裏面とベース板４１との間には隙間が確保され、ハードディスク２０の一対の第二端面２０ｂと各起立板４２との間にも僅かに隙間が確保されている。
図１０は、第一ヘッダーピン５０の軸心を通る縦断面図（図６のX-X線断面図）である。各第一ヘッダーピン５０はそれぞれ、保持部材４０の起立板４２に形成された各取付孔４２ａを貫通して、ハードディスク２０の第二端面２０ｂに形成された各螺子孔２０ｃに螺合する。
第一ヘッダーピン５０は、螺子軸５０ａと、螺子軸５０ａの基端部に形成されたピン部５０ｂと、ピン部５０ｂの基端部に接続された頭部５０ｃとを有している。ピン部５０ｂは螺子軸５０ａよりも大径であり、頭部５０ｃはピン部５０ｂよりも大径である。
【００４０】
各第一ヘッダーピン５０のピン部５２と、起立板４２の取付孔４２aの内周面との間には第一防振部材５１が設けられている。
第一防振部材５１は、図１１に示すように、リング状の弾性部材の周面に溝部５１ａを形成してなる。第一防振部材５１の軸方向の両側面には半円筒状をなす複数の当接突部５１ｂが放射状に形成されている。第一防振部材５１の溝部５１ａは、起立板４２に形成された各取付孔４２ａの周縁部に係合している。
そして、図１０に示すように、第一防振部材５１における溝部５１ａよりも軸方向の一側に位置する部分が、起立板４２とハードディスク２０の第二端面２０ｂとの間に介在している。また、第一防振部材５１における溝部５１ａよりも軸方向の他側に位置する部分が、第一ヘッダーピン５０の頭部５０ｃと起立板４２との間に介在している。  
そうして、第一防振部材５１は、画像形成装置本体２側の振動が保持部材４０及び第一ヘッダーピン５０を介してハードディスク２０に伝達されるのを防止する役割を果たしている。
【００４１】
［保持部材４０に対する接続変換基板３０の固定構造］
図６を参照して、接続変換基板３０は、二つの第二ヘッダーピン５２によって保持部材４０に固定されている。
図１２は、第二ヘッダーピン５２の軸心を通る縦断面図(図６のXII-XII線断面図)である。各第二ヘッダーピン５２は、第一ヘッダーピン５０と同様に、螺子軸５２ａとピン部５２ｂと頭部５２ｃとを有している。各第二ヘッダーピン５２はそれぞれ、接続変換基板３０（基板本体３１）に形成された取付孔３１aを貫通して、保持部材４０の突出座部４１ａに形成された螺子孔４１ｄに螺合している。各第二ヘッダーピン５２のピン部５２ｂと、接続変換基板３０の取付孔３１ａとの間には第二防振部材５３が設けられている。
第二防振部材５３は、第一防振部材５１と同様に、リング状の弾性部材からなっていてリング溝５３ａと複数の当接突部５３ｂとを有している。
第二防振部材５３のリング溝５３ａは、接続変換基板３０（基板本体３１）に形成された取付孔３１ａの周縁部に係合している。そして、第二防振部材５３におけるリング溝５３ａよりも軸方向の一側に位置する部分が、接続変換基板３０とベース板部４１の突出座部４１ａとの間に介在している。また、第二防振部材５３におけるリング溝５３ａよりも軸方向の他側に位置する部分が、第二ヘッダーピン５２の頭部５２ｃと接続変換基板３０との間に介在している。
そうして、第二防振部材５３は、画像形成装置本体２側の振動が保持部材４０及び接続変換基板３０を介してハードディスク２０に伝達されるのを防止する役割を果たしている。
【００４２】
［作用効果］
以上説明したように、本実施形態では、ハードディスク２０は、第一防振部材５１を介して保持部材４０に固定され、接続変換基板３０は、第二防振部材５３を介して保持部材４０に固定されている。
【００４３】
この構成によれば、接続変換基板３０を第二防振部材５３を介して保持部材４０に固定するようにしたので、従来のように、接続変換基板３０がハードディスク２０のＳＡＴＡコネクター２０ｆのみで支持されてベース板部４１から浮いた状態になることがない。よって、ハードディスク２０のＳＡＴＡコネクター２０ｆと、接続変換基板３０のＳＡＴＡコネクター３２との接続が外れ難くなる。また、第二防振部材５３を設けることにより、保持部材４０から接続変換基板３０に振動が伝わり難くなる。よって、画像形成装置本体２からの振動が接続変換基板３０を介してハードディスク２０に伝達されるのを回避することができる。また、第一防振部材５１を設けることにより保持部材４０からハードディスク２０に伝達される振動も遮断することができる。
【００４４】
本実施形態では、保持部材４０は、ハードディスク２０の裏面（厚さ方向の一側面）に対面するベース板部４１と、該ベース板部４１から起立してハードディスク２０の互いに対向する一対の第二端面２０ｂに対面する一対の起立板４２とを有している。一対の起立板４２には、厚さ方向に貫通する取付孔４２ａが形成され、接続変換基板３０には、厚さ方向に貫通する取付孔３１ａが形成されている。第一ヘッダーピン５０は、各起立板４２の取付孔４２ａを貫通してハードディスク２０に連結され、第二ヘッダーピン５２は、接続変換基板３０の各取付孔３１ａを貫通して保持部材４０のベース板部４１に連結されている。
そして、第一防振部材５１は、第一ヘッダーピン５０と各起立板４２の取付孔４２ａの内周面との間に装着された状態で、上記各起立板４２とハードディスク２０の各第二端面２０ｂとの間に介在するように形成され、第二防振部材５３は、第二ヘッダーピン５２と接続変換基板３０の取付孔３１ａの内周面との間に装着された状態で、接続変換基板３０と保持部材４０のベース板部４１との間に介在するように形成されている。
この構成によれば、保持部材４０からハードディスク２０に伝わる振動は勿論のこと、保持部材４０から接続変換基板３０を介してハードディスク２０に伝わる振動を簡単な構成で確実に遮断することができる。
【００４５】
また、本実施形態では、保持部材４０のベース板部４１は接続変換基板３０側に突出する突出座部４１ａを有しており、第二ヘッダーピン５２は、接続変換基板３０の取付孔３１ａを貫通して突出座部４１ａに形成された螺子孔４１ｄに連結されている。そして、第二防振部材５３は、接続変換基板３０と突出座部４１ａ（ベース板部４１の一部）との間に介在するように形成されている。
【００４６】
ここで、突出座部を有さない従来の保持部材では、ベース板部と接続変換基板との間に大きな空間が生じる、つまり接続変換基板がベース板部に対して浮いた状態になる。このため、ハードディスクのＳＡＴＡコネクターと接続変換基板のＳＡＴＡコネクターとの接続が外れ易いという問題がある。
【００４７】
これ対して、本実施形態では、ベース板部４１に突出座部４１ａを形成するようにしたことで、接続変換基板３０を第二防振部材５３を介して突出座部４１ａに容易に支持させることができる。これにより、接続変換基板３０の姿勢が安定するので、ＳＡＴＡコネクター２０ｆ，３２同士の接続が従来よりも外れ難くなる。また、接続変換基板３０は、突出座部４１ａに対応する狭い範囲のみでベース板部４１に連結されるので、接続変換基板３０の全面をベース板部４１に載置する場合に比べて振動伝達を抑制することができる。
【００４８】
さらに、第二防振部材５３は接続変換基板３０と突出座部４１ａ（ベース板部４１の一部）との間に介在するように形成されているので、突出座部４１ａの座面の高さ位置を高精度で管理しなくても、ハードディスク２０のＳＡＴＡコネクター２０ｆと接続変換基板３０のＳＡＴＡコネクター３２との高さの差を第二防振部材５３によって吸収することができる。よって、突出座部４１ａの加工精度要求が低くてもよいので、その分だけ製品コストを低減することができる。
【００４９】
《他の実施形態》
上記実施形態では、本発明の固定構造を適用する電子機器の一例として画像形成装置を挙げて説明したが、これに限ったものではない。電子機器は、例えば、パソコンやビデオデッキ等であってもよい。また、上記固定構造を画像形成装置に適用する場合、画像形成装置は電子写真方式に限らずインクジェット方式であってもよいことは言うまでもない。
【００５０】
上記実施形態では、第一ヘッダーピン５０とハードディスク２０との連結は螺子係合によるものとしているが、これに限ったものではなく、爪部による係合固定や圧入固定等であってもよい。
【産業上の利用可能性】
【００５１】
以上説明したように、本発明は、ハードディスク及び接続変換基板の固定構造、及び該固定構造を備えた画像形成装置について有用である。
【符号の説明】
【００５２】
１      ：画像形成装置
２      ：画像形成装置本体（電子機器）
１４    ：ＵＳＢコネクター
２０    ：ハードディスク
２０ａ  ：第一端面
２０ｂ  ：第二端面
２０ｆ  ：ＳＡＴＡコネクター
３０    ：接続変換基板
３１    ：基板本体
３２    ：ＳＡＴＡコネクター（第一コネクター）   
３３    ：ＵＳＢコネクター（第二コネクター）
４０    ：保持部材
４１    ：ベース板部
４１ａ  ：突出座部
４２    ：起立板
５０    ：第一ヘッダーピン
５１    ：第一防振部材
５２    ：第二ヘッダーピン
５３    ：第二防振部材
【図１】
2020140745.tif 000003
【図２】
2020140745.tif 000004
【図３】
2020140745.tif 000005
【図４】
2020140745.tif 000006
【図５】
2020140745.tif 000007
【図６】
2020140745.tif 000008
【図７】
2020140745.tif 000009
【図８】
2020140745.tif 000010
【図９】
2020140745.tif 000011
【図１０】
2020140745.tif 000012
【図１１】
2020140745.tif 000013
【図１２】
2020140745.tif 000014